(57)【要約】【課題】ホームエレベータは２００万円前後であるからエレベータ設置費が２倍以上になり、庶民は自宅にホームエレベータを付けることが難しくなり、エレベータメーカーは最近販売が停滞し業界全体としても大問題となっている。しかも、煙が入らないよう密閉するエレベータの開発は多大となり、不況の現状では不可能である。エレベータドアを煙が入らないよう密閉するドアの開発には開発費がかかりホームエレベータ業界の頭痛の種になっている。【解決手段】エレベータ扉前の空気を流動除去することによりエレベータ内に煙が入らないようにしたことを特徴とする防炎エレベータ。【選択図】        図4
2006263374.tif 000002
【特許請求の範囲】
【請求項１】
エレベータ扉前の空気を流動除去することによりエレベータ内に煙が入らないようにしたことを特徴とする防炎エレベータ装置。
【発明の詳細な説明】
【技術分野】
【０００１】
本発明はエレベータに関する。
【背景技術】
【０００２】
従来のエレベータは図１の如く煙突状エレベータ棟（シャット）４の中にかご１があり、かご扉２とその前方に躯体又はエレベータ棟4に設けた出入り口扉３がある。これら扉が開閉する為に最低４ミリメートルの隙間が必要である。この隙間から火災時の煙５がエレベータ棟４及びかご１に侵入し、エレベータ棟４の煙突効果により上方の階に煙が運ばれ災害を拡大し、新宿のビルで多数の死者が出た。これにより建築基準法施工令の改正により、昇降路は遮炎性能及び遮煙性能を有する防災設備する事が義務付けられた。
このため、図２の如く鉄扉６をエレベータ前に設けるか、又は第３図に示す如くエレベータ前にフレーム８に保持されて上下する柔軟なシート状のシャッター７を設け、煙探知機９が煙を探知するとエレベータ入口上方にまきこまれていたシートシャッター７が重力により降下しエレベータ入口を遮断し煙が入らないようにするなどが従来技術であった。
【発明の開示】
【発明が解決しようとする課題】
【０００３】
新宿ビル火災から建築基準法が改正され、これをクリアするのに従来技術ではエレベータ一階箇所に付き６０〜７０万円を要し、地下１階３階建の場合約２８０万円を要する。ホームエレベータは２００万円前後であるからエレベータ設置費が２倍以上になり、庶民は自宅にホームエレベータを付けることが難しくなり、エレベータメーカーは最近販売が停滞し業界全体としても大問題となっている。しかし、煙が入らないよう密閉するエレベータの開発は多大となり、不況の現状では不可能である。本発明により新しいエレベータを開発する事無く、建築基準法改正令をクリアする遮煙エレベータの発明である。
【課題を解決するための手段】
【０００４】
エレベータ扉前が外気と連通して減圧するなどによりエレベータ扉前の空気を流動除去することによりエレベータ内に煙が入らないようにする。
【発明の効果】
【０００５】
先般の新宿のビルの火災により新しい建築基準法が施行され、これをクリアする為、図２及び図３のような装置を付けねばならず、これがコストアップになり、又、エレベータドアを煙が入らないよう密閉するドアの開発には開発費がかかりホームエレベータ業界の頭痛の種になっている。従来技術ではエレベータ階一箇所に付き約６０〜７０万円を要し、地下１階地上３階の場合約280万円を要する。ホームエレベータは約200万円前後であるからエレベータ代が２倍以上になり、庶民は自宅にホームエレベータを付けることが難しくなり、エレベータメーカーも最近販売が停滞し業界全体としても大問題となっている。本発明はコストアップにならず、且つ火災時の災害を防ぐことが出来るので、予算的にホームエレベータを付けやすくなり、従って、ホームエレベータの需要が伸び、従ってホームエレベータの生産が増え、従ってホームエレベータ業界が喜び、これがひいては現在日本の不況を回復しわが国にも貢献する産業上極めて画期的且つ重要な発明である。
【発明を実施するための最良の形態】
【０００６】
本発明を以下図面に基づき説明する。
図4は本発明実施例で本発明建物及びエレベータの横断面を示す。本発明建物17には吹抜け10を設け、この吹抜け10とエレベータ前と連通するスリット11を設ける。このスリット11はスラブからスラブへの細長いスリットとする。ここに開閉窓を設けてもよい。建物17の入口ドア14から玄関18に入り次にエレベータホールドア19を開けエレベータホール13に入る。エレベータホール13は常気圧であるが、吹抜け10は煙突効果により空気が上方に抜け、減圧状態となっている。建物17内にある部屋からの排気26やキッチン等からの排出暖気27を前記吹抜け10に排出させるように設計することにより更に吹抜け内の空気を上昇させ吹抜け内が減圧状態になる。従ってエレベータホール13の気圧よりも吹抜け10がマイナスであるので空気はエレベータホール13からスリット11を通じて12のごとく吹抜け10内に流れる。従ってもし火災が発生し煙がエレベータホール13に侵入したとしても煙はエレベータ前スリット11を通じ吹抜け10に導かれエレベータ外ドア13、カゴドア２やエレベータ棟4には煙は侵入しないので煙が他階に拡がらない。
図５は本発明エレベータ周辺の縦断面を表す。
図６も本発明実施の一例であってエレベータ前乗場13の壁28に設けたスリット11の外側に煙突15を設ける。煙突15内の空気は常に上昇していくので減圧状態であり、煙12はエレベータ棟4に入らず煙突15に導かれて排気され、エレベータ１内に煙は入らない。
図７も本発明実施例で、エレベータドア３前のエレベータホール13の壁28にファン16を縦に並べ、強制排気20させ、煙がエレベータ4に入らず排出される本発明実施の一例である。
又、前記ファン16の代りにエアコン23や熱交換器換気装置（ロスナイ）21を設け、エレベータホール13の周辺や換気を空調しながら且つエレベータ前の煙を外部に排出させる場合も本発明に含まれる（図８はその縦断面図）。また、防炎シャッター図2，図3などの防炎シャッター7を設けると同時に本発明スリット11を併用して設ける場合も本発明に含まれる。
この他、図9に示す如くスリットを11’の如く水平にしたり、縦スリット11と横スリット11’を組み合わせたり、図１０の如くエレベータ棟４の天井にファン２２を設け、又はファン２９の気流を直角に曲げるためと北側斜面に対応するための傾斜した天井３０を設けルーバー38を設け、棟４の垂直壁面31に孔37を開けファン29を設け、又はエレベータ棟底部32に上向きにファン25を設け、又はエレベータカゴ１内の天井33にファン34を設け、又はエレベータカゴ1の床の下35にファン24を設ける事により、エレベータ棟４内の気圧が上がり、又、エレベータカゴ１内の気圧が上がり、空気はエレベータ棟４内からドア３を通って外部へ。又エレベータカゴ１内からドア２、３を通じて外へ流れるので、煙がエレベータカゴや棟内に透入しないので火災の煙が他階に移延しない本発明など、種々の変形や組み合わせが考えられるが、エレベータ扉前の煙を排出するという本発明の思想に基くものは全て本発明に含まれるものである。
【図面の簡単な説明】
【０００７】
【図１】公知のエレベータの横断面図
【図２】鉄扉を設けた公知のエレベータの横断面図
【図３】シート状の遮煙シャッターを設けた公知のエレベータの横断面図
【図４】本発明ビルの横断面図
【図５】本発明スリット部の縦断面図
【図６】エレベータ前スリットの外側に煙突を設けた本発明横断面
【図７】ファンによる本発明横断面
【図８】エアコンや熱交換器換気装置（ロスナイ）を利用した本発明縦断面図
【図９】スリットを水平にした本発明縦段面図
【図１０】エレベータ棟やエレベータカゴにファンを設けた本発明実施例
【符号の説明】
【０００８】
１ かご
２ かご出入り口扉
３ 躯体側に設けた出入り口扉
４ エレベータ棟
５ 煙
６ 遮煙鉄扉
７ シート状の遮煙シャッタ
８ シャッタの上下をガイドするガイド
９ 煙探知機
１０ 煙を吸い出す本発明ビル吹抜け
１１ 本発明エレベータ前スリット
１２ スリットから吸いこまれる空気と煙
１３ エレベータ乗場のホール
１４ ビルの入口ドア
１５ 煙を吸い出す本発明煙突
１６ 煙を吸い出す本発明ファン
１７ 本発明建物
１８ 玄関
１９ エレベータホールドア
２０ 本発明エレベータ前ファンにより強制排気される煙
２１ 本発明の排気に使用する熱交換器換気装置（ロスナイ）
２２ 本発明エレベータ棟天井に設けた圧力ファン
２３ 本発明エレベータ前排気に利用するエアコン
２４ 本発明エレベータカゴ底下35に設けた圧力ファン
２５ 本発明エレベータ棟底部３２に設けた圧力ファン
２６ 建物１７内にある部屋からの排気
２７ キッチンなどからの排出排気
２８ エレベータ前乗場１３の壁
２９ 本発明エレベータ塔上部垂直面３１に設けた孔37
に設けた圧力ファン
３０ 本発明エレベータ棟の傾斜させた天井
３１ エレベータ棟の上部垂直壁
３２ エレベータ棟底部
３３ エレベータカゴ天井
３４ エレベータカゴ天井３３に設けた圧力ファン
３５ エレベータカゴ床の下
３６ 本発明エレベータ棟内圧力ファンにより扉３から圧出
される空気
３７ 本発明エレベータ棟垂直壁に設けた孔
３８ 前記孔３７の前に設けられた開閉可能なルーバー
【図１】
2006263374.tif 000003
【図２】
2006263374.tif 000004
【図３】
2006263374.tif 000005
【図４】
2006263374.tif 000006
【図５】
2006263374.tif 000007
【図６】
2006263374.tif 000008
【図７】
2006263374.tif 000009
【図８】
2006263374.tif 000010
【図９】
2006263374.tif 000011
【図１０】
2006263374.tif 000012